(57)【要約】【課題】リフトの広告価値のあるスペースに広告や印刷物等を掲載可能とすること。【解決手段】耐水性のある素材で取り付け取り外しを可能とし、透明な部分の背面から広告や印刷物等を設置する方法をとる。【選択図】          図１
0003127257.tif 000002
【実用新案登録請求の範囲】
【請求項１】
透明な部分を有し、その透明な部分に広告や印刷物等を出し入れを可能としその出し入れ口は開閉可能であり、設置する箇所に対応して折り曲げることができその状態を保てるような部分を有することを特徴とする。
【請求項２】
リフトの構造により広告スペースが足りない場合は図３のような透明な強度のある素材と共に広告や印刷物等を透明な部分に入れ掲載可能とするものであることを特徴とする。
【請求項３】
リフトの構造により本発明を設置する際に本発明が外れる可能性がある場合に図４のような帯状のものに穴のある強度な素材を有したものや紐状のようなものを使用することで設置を可能とするものであることを特徴とする。
【考案の詳細な説明】
【技術分野】
【０００１】
本考案は、主としてスキー場等に設置してあるリフト（人や物を運搬する装置）に広告や印刷物等を掲載可能とする装置のものである。
【背景技術】
【０００２】
従来、スキー場等に設置してあるリフトには広告掲載に充分なスペースがあり、比較的広告価値があるにも関わらず放置されている。
【考案の開示】
【考案が解決しようとする課題】
【０００３】
本考案は、上記の課題を解決するためのものであり、広告価値のあるスペースを有効活用することである。
【課題を解決するための手段】
【０００４】
スキー場等に設置してあるリフトに耐水性のある素材で取り付け取り外しを可能とし、透明な部分の背面から広告や印刷物等を設置可能とすること。
【０００５】
広告スペースが足りない場合は透明な強度のある素材と共に広告や印刷物等を掲載し任意でスペースを作成可能とすること。
【０００６】
リフトの構造により設置が困難な場合には紐状のようなものを補助的に使用することで設置可能とすること。
【考案の効果】
【０００７】
本考案のリフト用広告掲載装置によれば、リフトの広告価値のあるスペースに広告や印刷物等を掲載でき有意義なスペース活用ができる。
【考案を実施するための最良の形態】
【０００８】
耐水性のある素材でできていて表側は図１のように耐水性のある透明な素材で作られいる部分を有し、裏側にはその部分に通じる開閉が可能な素材で作られているものを有し、そこから広告や印刷物等の出し入れを可能とし、中央付近で折り曲げることを可能としその状態を保てるように固定できる部分を有する。
【０００９】
固定させる部分は図１の上部と図２の下部に存在し穴のある強度な素材を有しその穴に強度のある紐状なので括りつけれる。
【００１０】
広告スペースが足りない場合は図３のように透明な強度な素材で作られ角にはクッション性のある素材を有するものを使用しスペースの確保をする。
【００１１】
リフトの構造により設置が困難な場合には図４のような紐状で穴のある強度な素材をで作られた部分を有するものを使用し設置可能とする。
【実施例１】
【００１２】
リフトの背もたれ部分を覆うように折り曲げ部（５）が上部にくるようにし透明な部分（２）に開閉が可能な素材（６）から広告や印刷物等入れ重なりあった接面（３）を穴のある強度な素材（４）の穴の部分に強度な紐状の素材（９）を通し固定し設置する。
【実施例２】
【００１３】
リフトの背もたれ部分のスペースが不十分な場合に図３のような透明な強度な素材に広告や印刷物等を挟んで透明な部分（２）に開閉が可能な素材（６）から入れスペースを任意に作り出し図８のような設置の仕方となる。
【実施例３】
【００１４】
リフトの背もたれ部分の片側から本発明が外れる可能性がある場合は図４のような紐状のようなものをリフトの一部に巻き付け接面（３）に重ね穴のある強度な素材（４）の穴の部分に強度な紐状の素材（９）を通し固定し設置する。
【産業上の利用可能性】
【００１５】
本発明を使用することにより、リフトの広告価値のあるスペースに広告や印刷物等を掲載できる。
【図面の簡単な説明】
【００１６】
【図１】本発明の表面図である。
【図２】本発明の裏面図である。
【図３】本発明の設置補助板である。
【図４】本発明の設置補助ロープである。
【図５】本発明の設置図である。
【図６】本発明の設置図である。
【図７】本発明の補助を用いた設置図である。
【図８】本発明の補助を用いた設置図である。
【符号の説明】
【００１７】
１    耐水性のある素材
２    耐水性のある透明な素材
３    接面
４    穴のある強度な素材
５    折り曲げ部
６    開閉が可能な素材
７    透明な強度な素材
８    クッション性のある素材
９    強度な紐状の素材または錠前
【図１】
0003127257.tif 000003
【図２】
0003127257.tif 000004
【図３】
0003127257.tif 000005
【図４】
0003127257.tif 000006
【図５】
0003127257.tif 000007
【図６】
0003127257.tif 000008
【図７】
0003127257.tif 000009
【図８】
0003127257.tif 000010
【手続補正書】
【提出日】平成18年4月3日(2006.4.3)
【手続補正１】
【補正対象書類名】実用新案登録請求の範囲
【補正対象項目名】請求項１
【補正方法】変更
【補正の内容】
【請求項１】
中央付近で折り曲げることができ、透明な部分を有し、その透明な部分に広告や印刷物等を出し入れ可能としその出し入れ口は開閉可能であり、折り曲げした際にその状態を保てるような部分を有することを特徴とするリフト用広告掲載装置。
【手続補正２】
【補正対象書類名】実用新案登録請求の範囲
【補正対象項目名】請求項２
【補正方法】変更
【補正の内容】
【請求項２】
リフトの構造により広告スペースが足りない場合は図３のような透明な強度のある素材と共に広告や印刷物等を透明な部分に入れ掲載可能とするものであることを特徴とするリフト用広告掲載装置。
【手続補正３】
【補正対象書類名】実用新案登録請求の範囲
【補正対象項目名】請求項３
【補正方法】変更
【補正の内容】
【請求項３】
リフトの構造により本発明を設置する際に本発明が外れる可能性がある場合に図４のような紐状のようなものを使用することで設置を可能とするものであることを特徴とするリフト用広告掲載装置。
【手続補正書】
【提出日】平成18年5月21日(2006.5.21)
【手続補正１】
【補正対象書類名】実用新案登録請求の範囲
【補正対象項目名】請求項２
【補正方法】変更
【補正の内容】
【請求項２】
リフトの構造により広告スペースが足りない場合のために透明な強度のある素材と共に広告や印刷物等を透明な部分に入れ掲載可能とするものであることを特徴とするリフト用広告掲載装置。
【手続補正２】
【補正対象書類名】実用新案登録請求の範囲
【補正対象項目名】請求項３
【補正方法】変更
【補正の内容】
【請求項３】
リフトの構造により本発明を設置する際に本発明が外れる可能性がある場合のために紐状で穴のある強度な素材のようなものを使用することで設置を可能とするものであることを特徴とするリフト用広告掲載装置。
【手続補正書】
【提出日】平成18年8月2日(2006.8.2)
【手続補正１】
【補正対象書類名】実用新案登録請求の範囲
【補正対象項目名】請求項２
【補正方法】変更
【補正の内容】
【請求項２】
リフトの構造により広告スペースが足りない場合は透明な強度のある素材と共に広告や印刷物等を透明な部分に入れ掲載可能とするものであることを特徴とする請求項１記載のリフト用広告掲載装置。
【手続補正２】
【補正対象書類名】実用新案登録請求の範囲
【補正対象項目名】請求項３
【補正方法】変更
【補正の内容】
【請求項３】
リフトの構造により設置が困難である際に強度のある帯状のものや強度のある紐状のものを使用することで設置を可能とするものであることを特徴とする請求項１記載のリフト用広告掲載装置。
【手続補正書】
【提出日】平成18年9月25日(2006.9.25)
【手続補正１】
【補正対象書類名】実用新案登録請求の範囲
【補正対象項目名】請求項３
【補正方法】変更
【補正の内容】
【請求項３】
リフトの構造により設置が困難である際、穴のある強度な素材と穴のある強度のある帯状のものをその穴の部分同士を重ねそこに強度のある紐状のもので巻き付けとめたり、穴のある強度な素材と強度のある紐状のものをとめ、そのとめた帯状や紐状のものをリフトにとめるたり巻き付けたりすることで設置を可能とするものであることを特徴とする請求項１記載のリフト用広告掲載装置。